(57)【要約】【課題】  手摺において、施工時間を短くすると共に施工コストも安価とすること。【解決手段】  壁面に取り付けられる長手のベース部材１、ベース部材１が取り付けられる壁面から所定間隔を開けて配置され、使用者が手を摺って進もうとする際に当該使用者の掌によって握られる長手の握り部材２、及び握り部材２と共に使用者の拇指を除く４指が挿入可能な空間を区画し、基端部２０がベース部材１に固定されると共に先端部２１が握り部材２を支持する長手のアーム部材３を備える。握り部材２とアーム部材３とを一体成形する。このとき、握り部材２及びアーム部材３の両者の長さ寸法を、互いに略同寸とし、さらにベース部材１の長さ寸法とも略同寸とする。【選択図】  図１
2006077516.tif 000002
【特許請求の範囲】
【請求項１】
壁面に取り付けられる長手のベース部材、このベース部材が取り付けられる壁面から所定間隔を開けて配置され、使用者が手を摺って進もうとする際に当該使用者の掌によって握られる長手の握り部材、及びこの握り部材と共に使用者の拇指を除く４指が挿入可能な空間を区画し、基端部がベース部材に固定されると共に先端部が握り部材を支持する長手のアーム部材を備えている手摺において、
上記握り部材と上記アーム部材とが一体的に形成されて成ることを特徴とする手摺。
【請求項２】
上記握り部材及びアーム部材の両者の長さ寸法は、互いに略同寸であり、さらに上記ベース部材の長さ寸法とも略同寸であることを特徴とする請求項１に記載の手摺。
【請求項３】
上記握り部材の上記４指の指先が引っ掛けられる領域には、長手方向に沿って凹みが貫通して形成され、
この凹みは、その一部が上記握り部材の内方に入り込んだ溝の形状をなしていることを特徴とする請求項１又は２に記載の手摺。
【請求項４】
上記握り部材の先端部及びアーム部材同士の接合点は、上記握り部材の中心から上記壁面とは反対側に向かって離間していることを特徴とする請求項１乃至３の何れかに記載の手摺。
【請求項５】
少なくとも上記握り部材及びアーム部材の両者は、合成樹脂を素材として製作されることによって当該両者の内部が中空とされ、
上記握り部材及びアーム部材の両者の中空内には、それぞれ、使用者が手を摺って所望の方向に進もうとする際の当該使用者の加重が掛かる方向と交差する方向に沿って所要数の骨材が設けられていることを特徴とする請求項１乃至４の何れかに記載の手摺。
【請求項６】
上記握り部材及びアーム部材の両者は、透明であり、
上記握り部材側の骨材は、その骨材と上記握り部材の上面を含む領域とによって区画される空間内に任意の色の挿入体を挿入できるよう、当該握り部材の上面及び下面に対して略水平面をなす面を有していることを特徴とする請求項５に記載の手摺。
【発明の詳細な説明】
【技術分野】
【０００１】
本発明は、例えば、階段、廊下、トイレ、浴室及び玄関等の壁面に取り付けられる手摺に関する。
【背景技術】
【０００２】
近時、握り棒の取り付けアームを外れにくいものとし、加えて取り付けアームの取り付け作業を簡単にし、もって取付場所に応じて簡単に設置できる、手摺が種々提案されている。
【０００３】
かかる手摺の典型的な例としては、特許文献１で提案されているものを挙げることができる。
【０００４】
特許文献１に開示されている手摺は、壁面に取り付けられるベース部材と、このベース部材に取り付けられこれを覆うカバー部材と、このカバー部材を貫通してベース部材の嵌合部内に基端部が嵌合されるアーム部材とを備えている。
そして、上記アーム部材の基端部の外周面に環状凹溝を設け、同基端部を上記ベース部材の嵌合部内に回転自在に設けると共に上記ベース部材の嵌合部の外周を貫通して上記環状凹溝に食い込む固定部材で固定し、上記アーム部材の先端には、握り棒を取り付けるための受け座を設けている。
【０００５】
上記構成によれば、上記環状凹溝に食い込む固定部材で上記アーム部材を固定すると共に当該固定部材が当該環状凹溝の段部に係止して抜け止め機能を発揮する。特に、例えば、階段等の傾斜した場所に手摺を設置するときには、上記アーム部材を回転方向に傾けて受け座を握り棒の設置ラインに沿わせる。
【０００６】
【特許文献１】特開２００２−１８０６３２号公報
【発明の開示】
【発明が解決しようとする課題】
【０００７】
しかしながら、上記特許文献１に係る手摺では、ベース部材、アーム部材及び握り棒の３者がそれぞれ別体であるため、結果的に施工時間が長くなるばかりか、施工コストも高くなっているのが実情である。
【０００８】
本発明は、上記技術的課題に鑑みなされたもので、施工時間を短くできると共に施工コストも安価となる手摺を提供することを目的とする。
【課題を解決するための手段】
【０００９】
本発明は、壁面に取り付けられる長手のベース部材、このベース部材が取り付けられる壁面から所定間隔を開けて配置され、使用者が手を摺って進もうとする際に当該使用者の掌によって握られる長手の握り部材、及びこの握り部材と共に使用者の拇指を除く４指が挿入可能な空間を区画し、基端部がベース部材に固定されると共に先端部が握り部材を支持する長手のアーム部材を備えている手摺において、上記握り部材と上記アーム部材とが一体的に形成されて成る。
【００１０】
また、上記握り部材及びアーム部材の両者の長さ寸法は、互いに略同寸であり、さらに上記ベース部材の長さ寸法とも略同寸である。
【００１１】
さらに、上記握り部材の上記４指の指先が引っ掛けられる領域には、長手方向に沿って凹みが貫通して形成され、この凹みは、その一部が上記握り部材の内方に入り込んだ溝の形状をなしている。
【００１２】
さらにまた、上記握り部材の先端部及びアーム部材同士の接合点は、上記握り部材の中心から上記壁面とは反対側に向かって離間している。
【００１３】
加えて、少なくとも上記握り部材及びアーム部材の両者は、合成樹脂を素材として製作されることによって当該両者の内部が中空とされ、上記握り部材及びアーム部材の両者の中空内には、それぞれ、使用者が手を摺って所望の方向に進もうとする際の当該使用者の加重が掛かる方向と交差する方向に沿って所要数の骨材が設けられている。
【００１４】
また、上記握り部材及びアーム部材の両者は、透明であり、上記握り部材側の骨材は、その骨材と上記握り部材の上面を含む領域とによって区画される空間内に任意の色の挿入体を挿入できるよう、当該握り部材の上面及び下面に対して略水平面をなす面を有している。
【発明の効果】
【００１５】
（１）握り部材と上記アーム部材とが一体的に形成されて成るので、手摺の施工時間が短くなると共に施工コストも安価となる。
【００１６】
（２）手摺は、壁面に沿って連続して設置される。このとき、握り部材及びアーム部材の両者の長さ寸法は、互いに略同寸であり、さらにベース部材の長さ寸法とも略同寸であるので、一の握り部材及びアーム部材並びに他の握り部材及びアーム部材同士が繋がることになる。そのため、使用者が手を摺らせて進むときに互いに隣接する手摺同士の隙間に手が引っ掛かることはない。その結果、転倒事故を未然に防ぐことができる。
【００１７】
（３）握り部材の４指の指先が引っ掛けられる領域には、長手方向に沿って凹みが貫通して形成され、この凹みは、その一部が握り部材の内方に入り込んだ溝の形状（例えばＶ字状）をなしているので、使用者は、凹みに指を引っ掛けながら握り部材をしっかりと握ることができる。この点においても、未然に転倒事故を防止できる。
【００１８】
（４）握り部材の先端部及びアーム部材同士の接合点は、握り部材の中心から壁面とは反対側に向かって離間しているので、握り部材の凹みに指を引っ掛け易くなる。
【００１９】
（５）少なくとも握り部材及びアーム部材の両者は、合成樹脂を素材として製作されることによって当該両者の内部が中空とされているので、手摺全体としての重量が軽くなる。その結果、現場での施工作業も比較的楽になる。また、握り部材及びアーム部材の両者の中空内には、それぞれ、使用者が手を摺って所望の方向に進もうとする際の当該使用者の加重が掛かる方向と交差する方向に沿って所要数の骨材が設けられているので、強度的な問題は生じない。
【００２０】
（６）握り部材及びアーム部材の両者は、透明であるので、手摺全体がかもし出す圧迫感を解消することができる。また、握り部材側の骨材は、その骨材と上記握り部材の上面を含む領域とによって区画される空間内に任意の色の挿入体を挿入できるよう、当該握り部材の上面及び下面に対して略水平面をなす面を有しているので、挿入体を中空内に挿入して握り部材の骨材の水平面に載置すると、手摺全体のデザイン性が向上する。
【発明を実施するための最良の形態】
【００２１】
以下、本発明の実施の形態を添付図面に基づき詳細に説明する。
【００２２】
＜実施の形態１＞
本発明の実施の形態１に係る手摺は、図１及び図２に示すように、壁面に取り付けられるベース部材１と、使用者の掌によって握られる握り部材２と、握り部材２を支持するアーム部材３とを備え、握り部材２とアーム部材３とが一体的に形成され、アーム部材３がベース部材１に固定されている。
【００２３】
ベース部材１は、断面Ｌ字状に形成され、平面部１０と、平面部１０の下部に垂直に突設された支持部１１とを有する。そして、ベース部材１は、アルミニウムの押出成形によって長手方向に所定長さに形成される。平面部１０には、その壁面側に長手方向に沿って切込部１２が形成され、この切込部１２に合わせて固定用ねじ１３のための複数のねじ孔が形成される。支持部１１には、アーム部材３を嵌め込むための溝１４が長手方向に形成される。また、支持部１１を上下方向に貫通するようにねじ孔１５が形成される。
【００２４】
アーム部材３と握り部材２は、アルミニウムの押出成形によって断面Ｊ字状に一体成形され、長手方向に所定長さに形成される。その長さは、ベース部材１の長さと略同寸とされる。なお、各部材は、押出成形によって形成されるが、これに限らず切削加工やプレス加工によって形成してもよい。
【００２５】
アーム部材３の基端部２０は水平方向に形成され、先端部２１は垂直方向に形成され、基端部２０と先端部２１とが湾曲した中間部２２によって連結される。そして、基端部２０は、先端部２１よりも肉厚とされ、基端部２０の壁面側は、少し細く形成された嵌合部２３とされる。ベース部材１の溝１４に嵌め込まれる嵌合部２３は、嵌め込んだときにがたつくことがないように、溝幅よりも若干薄い肉厚とされる。また、嵌合部２３を上下方向に貫通するようにねじ孔２４が形成される。
【００２６】
握り部材２は、中空の筒状に形成され、上面３０は平坦な面であり、壁面側曲面３１の曲率半径は室内側曲面３２の曲率半径より大とされ、壁面側の下面３３及び室内側の下面３４は平坦な面であり、壁面側の下面３３は室内側の下面３４よりも下方に位置する。これにより、握り部材２の壁面側が、使用者の掌によって握りやすいように室内側よりも厚みのある形状となる。また、握り部材２内の下部に、図示しないカバー部材をねじ止めするためのねじ挿入用のねじ溝３５が長手方向に沿って形成されている。
【００２７】
握り部材２とアーム部材１の先端部２１との接合点３６は、握り部材２の中心よりも室内側に向かって位置している。これにより、握り部材２は壁面から離れて位置するので、ベース部材１、アーム部材３及び握り部材２に囲まれた空間が広くなり、指先が入りやすくなる。
【００２８】
上記の手摺を階段、廊下、トイレ、浴室及び玄関等の壁面に取り付けるとき、まずベース部材１を壁面の所定の位置に位置決めして、ねじ１３によって壁面に固定する。ねじ１３をねじ込んでいくと、壁から削りくずが出てくるが、ベース部材１の切込部１２と壁面との間の隙間に溜まるので、ベース部材１の壁面に対する密着性は損なわれない。
【００２９】
次に、アーム部材３をベース部材１に対して室内側から嵌め込む。アーム部材３の嵌合部２３がベース部材１の支持部１１の溝１４に奥まで挿入されると、ねじ１３を嵌合部２３と支持部１１のねじ孔１５、２４にねじ込み、外れ防止とする。アーム部材３がベース部材１に固定される。このとき、アーム部材３の基端部２０の下面とベース部材１の支持部１１の下面とは面一となっている。そして、握り部材２の長手方向の両側の端面を塞ぐように、カバー部材をねじで握り部材２に取り付ける。
【００３０】
ここで、手摺の長手方向の長さは、手摺を取り付ける壁面に応じて決定される。そのため、ベース部材１、アーム部材３及び握り部材２の１組のセットを用意すればよく、部品点数が減るので、段取りよく施工できる。なお、２組以上のセットを繋げて、長い手摺にすることも可能である。
【００３１】
このように、手摺は長手方向に連続して設置されるので、手摺に沿って使用者が手を滑らせながら進むときに手が引っ掛からない。そして、握り部材２と壁面との間隔が十分に取られているので、４指の指先が入れやすく、手摺を握ったり離したりするときに、指を曲げたり広げたりするのが容易となる。したがって、握りやすい手摺を実現できる。また、握り部材２とアーム部材３とが一体であるので、両者の間に継ぎ目がなく、手摺を握ったときに指先が引っ掛かることはない。
【００３２】
本実施の形態１の変形例に係る手摺を図３に示す。握り部材２の下面に、指先を引っ掛けやすくするために凹み２５が形成されている。この凹み２５は、特にその頂部２５ａが握り部材２の内方に入り込んだ溝として長手方向に沿って形成され、略Ｖ字状に凹んでいる。その他の構成は、上記の手摺と同じである。上記溝は、Ｖ字状のほか、Ｕ字状など凹み形状のものが適用される。
【００３３】
使用者が手摺を握ったとき、握り部材２の凹み２５に沿って指先が自然に曲がる。これにより、指先に力が入り、しっかりと手摺を握ることができ、手摺としての機能を十分に発揮させることができる。
【００３４】
＜実施の形態２＞
本発明の実施の形態２に係る手摺を図４に示す。本実施の形態２に係る手摺では、ベース部材１とアーム部材３との固定構造が上記の実施の形態１とは異なる。すなわち、Ｌ字状に形成されたベース部材１の上部に上レール４０が長手方向に沿って上向きに形成され、下部に支持部１１が設けられ、平坦な支持部１１の先端に下レール４１が長手方向に沿って上向きに形成される。
【００３５】
アーム部材３の基端部２０は、その端部が上向きに曲げられ、ベース部材１を完全に覆うようになっている。基端部２０の上部に、上レール４０に係合される上凹部４２が長手方向に沿って下向きに形成される。基端部２０の下面には、支持部１１の下レール４１に係合される下凹部４３が長手方向に沿って下向きに形成される。
【００３６】
なお、その他の構成は、上記実施の形態１及びその変形例の手摺と同じである。
【００３７】
壁面に固定されたベース部材１に対して、アーム部材３を横からスライドさせながら取り付ける。アーム部材３の上凹部４２がベース部材１の上レール４０に沿ってスライドし、下凹部４３が下レール４１に沿ってスライドして、ベース部材１とアーム部材３との長手方向の端面が一致したとき、ねじ４４でベース部材１の支持部１１とアーム部材３の基端部２０とを固定する。
【００３８】
アーム部材３の基端部２０の下面がベース部材１の支持部１１の上面に載って、アーム部材３がベース部材１に支持されるので、両者の接触面積が増し、握り部材２に荷重がかかっても、ベース部材１により受けることができ、手摺の耐荷重性能が高まる。そして、上下のレール４０，４１に上下の凹部４２，４３が係合するので、握り部材２に上から衝撃が加わっても、アーム部材３は傾くことはない。また、ベース部材１を壁面に固定するねじ１３がアーム部材３の基端部２０によって覆い隠されるので、美観的にも優れる。
【００３９】
＜実施の形態３＞
本発明の実施の形態３に係る手摺を図５及び図６に示す。本実施の形態３に係る手摺では、ベース部材１、アーム部材３及び握り部材２が一体的に形成される。各部材はアルミニウム製の成形品であり、これらの形状は、基本的に実施の形態１の手摺と同じであるが、ベース部材１の上部にアーム部材３の基端部２０が一体的に連結される。そのため、ベース部材１の下部に壁面固定用のねじ孔１５が形成される。なお、手摺の長手方向の端面を塞ぐように、両側にカバー部材４がねじによって取り付けられる。
【００４０】
このように、手摺が１つの部品となるので、施工時の取り扱いが楽となり、施工時間を短縮できる。また、ベース部材１を壁面に固定するねじ１３がアーム部材３よりも下方にあるので、上から見たとき、ねじ１３が隠れて見えず、美観がよくなる。
【００４１】
ここで、図７に示すように、ベース部材１のねじ１３を隠すための覆い部材４５を設けてもよい。ベース部材１の室内側に係合用溝４６を形成し、覆い部材４５を嵌め込んで固定する。これによって、ねじ１３は完全に隠れるので、より一層美観がよくなる。
【００４２】
＜実施の形態４＞
本発明の実施の形態４に係る手摺を図８及び図９に示す。本実施の形態４に係る手摺では、ベース部材１、アーム部材３及び握り部材２が一体的に形成される。各部材の形状は、実施の形態３の手摺と同じであるが、いわゆるプラスチック等の合成樹脂によって成形される。また、カバー部材４も同様に合成樹脂製とされる。
【００４３】
そして、各部材は、中空構造とされ、内部に補強のために複数の骨材５０が設けられている。ベース部材１の骨材５０は、水平方向に形成される。アーム部材３の骨材５０は、基端部２０では垂直方向に形成され、先端部２１ではほぼ水平方向に形成され、中間部２２では斜め方向に形成される。握り部材２の骨材５０は、水平方向に形成され、この骨材５０と握り部材２の壁面側の下面３３との間にリブ５１が形成され、リブ５１にねじ溝５２が形成される。各骨材５０は、長手方向に沿って形成され、各部材の長手方向の長さと同寸である。
【００４４】
そして、握り部材２及びアーム部材３には、透光性の合成樹脂（透明プラスチック）が使用され、内部が透き通って見える。握り部材２の内部において、骨材５０により上下２つの空間に区画され、握り部材２の上面３０と骨材５０とによって区画される空間内に、任意の色の挿入体としてのカラーシート５３が配されている。カラーシート５３は、平板状とされ、握り部材２の長手方向の端面から挿入され、骨材５０の水平な表面上に載置される。
【００４５】
上記の手摺において、ベース部材１が壁面にねじ１３によって固定される。そして、握り部材２内にカラーシート５３を挿入してから、手摺の端面にカバー部材４を装着して、取り付けが完了する。合成樹脂製の手摺は軽量であるので、現場での施工が簡単となる。
【００４６】
また、透光性の合成樹脂を使用することにより、室内における手摺の圧迫感がなくなる。しかも、カラーシート５３を内装することにより、手摺のデザイン性が向上する。本実施形態では挿入体としてカラーシートを用いたが、任意の色を有するパイプやブロック体など、握り部材内に挿入されるものであればこれを限定しない。また、握り部材２の内部にＬＥＤ等のランプを内装すれば、夜間の照明代わりになり、案内灯として利用することも可能となる。
【００４７】
なお、本発明は上記の各実施の形態に限定されるものではない。例えば、上記の各実施の形態では、握り部材２とアーム部材３が少なくとも一体的に形成されているが、図１０及び図１１に示すように、アーム部材３とベース部材１とを一体的に形成し、握り部材２だけを別体としてもよい。すなわち、アーム部材３とベース部材１とがレ字状に一体形成される。握り部材２は、上記実施の形態と同じであるが、握り部材２の下面に、アーム部材３の先端部２１を挟み込む係合部５５が形成される。そして、握り部材２の係合部５５がアーム部材３の先端部２１に嵌め込んで係合され、ねじ止めされる。このようにすれば、握り部材２の変更が可能となるので、用途に応じて形状の異なる握り部材２を使用することができ、多様な手摺を提供することができる。また、上記の実施の形態１〜３において、アーム部材と握り部材とを合成樹脂製の一体成形品としてもよい。その他、本明細書に添付した特許請求の範囲内での種々の設計変更及び修正を加え得ることは勿論である。
【産業上の利用可能性】
【００４８】
本発明は、施工時間を短くできると共に施工コストも安価となるゆえ、例えば、階段、廊下、トイレ、浴室及び玄関等の壁面に取り付けられる手摺として有用である。
【図面の簡単な説明】
【００４９】
【図１】本発明の実施の形態１に係る手摺の斜視図
【図２】同手摺の分解斜視図
【図３】実施の形態１の変形例に係る手摺の断面図
【図４】本発明の実施の形態２に係る手摺の断面図
【図５】本発明の実施の形態３に係る手摺の分解斜視図
【図６】同手摺の断面図
【図７】実施の形態３の変形例に係る手摺の断面図
【図８】本発明の実施の形態４に係る手摺の分解斜視図
【図９】同手摺の断面図
【図１０】本発明の他の実施の形態に係る手摺の斜視図
【図１１】同手摺の分解斜視図
【符号の説明】
【００５０】
１  ベース部材
２  握り部材
３  アーム部材
４  カバー部材
１０  平面部
１１  支持部
２０  基端部
２１  先端部
２２  中間部
２５  凹み
５０  骨材
５３  カラーシート
【図１】
2006077516.tif 000003
【図２】
2006077516.tif 000004
【図３】
2006077516.tif 000005
【図４】
2006077516.tif 000006
【図５】
2006077516.tif 000007
【図６】
2006077516.tif 000008
【図７】
2006077516.tif 000009
【図８】
2006077516.tif 000010
【図９】
2006077516.tif 000011
【図１０】
2006077516.tif 000012
【図１１】
2006077516.tif 000013